(57)【要約】【課題】メガネに装着可能な集中力向上のための集中力向上器具を提供する。【解決手段】  人の眼窩外周を覆う大きさで強度を保つのに必要最低限の厚さをもち、装着者の顔に隙間無く密着するスポンジのような材質、形状のリムを左右対称に２つ設け、可動性のあるブリッジで繋げることを特徴とし、集中力向上効果を得たい時だけメガネに装着して使用する集中力向上器具。【選択図】図２
2018205676.tif 000002
【特許請求の範囲】
【請求項１】
眼鏡とその装着者の顔の間に装着して使用される遮光フレーム本体（１）において、装着者の視野を遮るために遮光性と柔軟性のある材質で遮光フレーム本体（１）の右側に装着時に眼鏡（９）のレンズ部分を遮らないよう空洞（８）を設けた右リム（２）を右眼窩外周を覆う大きさで設け、右リム（２）の内側上辺に装着時に眼窩眉下に密着し、視野の上側を遮るように鼻頭に密着し、遮光フレーム全体が顔に密着するように端が斜めにカットされた上遮光片（３）を設け、右リム（２）の内側下辺右端に装着時に眼窩頬骨上に密着し、視野の下側を遮るように下遮光片（４）を設け、右リム（２）の上辺右側に装着時に眼鏡のアームにひっかけ、装着時に遮光フレーム本体（１）がずれ落ちないように固定片（５）を設けると共に、装着者の視野を遮るために（イ）と同様の材質で遮光フレーム本体（１）の左側に装着時に眼鏡（９）のレンズ部分を遮らないよう空洞（８）を設けた左リム（６）を左眼窩外周を覆う大きさで設け、左リム（６）の内側上辺に装着時に眼窩眉下に密着し、視野の上側を遮るように鼻頭に密着し、遮光フレーム本体（１）が顔に密着するように端が斜めにカットされた上遮光片（３）を設け、左リム（６）の内側下辺左端に装着時に眼窩頬骨上に密着し、視野の下側を遮るように下遮光片（４）を設け、左リム（６）の上辺左側に装着時に眼鏡のアームにひっかけ、装着時に遮光フレーム本体（１）がずれ落ちないように固定片（５）を設けた集中力向上器具。
【請求項２】
上記右リム（２）と左リム（６）が左右対称になるように、二つの間に可変式のブリッジ（７）を設けることで装着する眼鏡のフレーム外周に遮光フレーム本体（１）の上辺および下辺の形を合わせることを可能とし、あらゆる眼鏡に対応し、装着できることを特徴とする請求項１の集中力向上器具。
【請求項３】
遮光フレーム本体（１）においては上記構成に代えて、図４に示すように、上記構成で示した遮光フレーム本体（１）の右リム（２）と左リム（６）それぞれの鼻頭にあたる部分を無くし、左右リムの形状を眼窩外周を覆う形に保つために右リム（２）と左リム（６）それぞれの内部中心に針金のような形状を自由に変形できる芯（１２）を設け、視野を遮っても集中力向上効果の無い鼻頭部分の遮光片を無くした請求項１又は請求項２の集中力向上器具。
【発明の詳細な説明】
【技術分野】
【０００１】  本発明は両目を覆う形状をした眼鏡に装着するための集中力向上器具に関するものである。
【背景技術】
【０００２】  従来、眼鏡レンズに貼り付ける視野狭窄用シールがあった（特許文献１参照）。
また、眼鏡のアーム部に取り付けるカラーウォールがあった（特許文献２、４参照）。
また、眼鏡と顔の間に挟んで使う器具があった（特許文献３参照）。
【先行技術文献】
【特許文献】
【０００３】
【特許文献１】特開２００３−２９５１２７
【特許文献２】特開平１０−０３１１９９
【特許文献３】特開２００６−１２２６００
【特許文献４】実登３１５７３２９
【発明の概要】
【発明が解決しようとする課題】
【０００４】  専用の眼鏡を用意することなく、手持ちの眼鏡と装着者の眼窩外周の間に装着し、装着者の視野を上下左右狭めることで視野を前方のみに限定し、集中力を向上させる集中力向上器具を提供することにある。
そのためには次のような問題点があった。
（イ）特許文献１，２，４では視野を遮る部分が装着者の左右横方向のみで上下方向の視野は遮られなかったため、集中力上昇効果が低かった。
（ロ）特許文献３では装着者が見る対象の範囲によって発明品に空ける穴の大きさを変える必要があったため汎用性が低かった。
（ハ）特許文献１では、眼鏡レンズに仕組みを施す必要があるため、レンズの大きさに器具の大きさを合わせる必要があった。そのため効果を得るために専用の眼鏡を用意する必要があり、装着者が眼鏡フレームを好きに選ぶことができなかった。
（ニ）特許文献２、３、４では発明品が装着する眼鏡に対して大きいため、装着すると目立ち過ぎ、試験会場等の人前で使用するには心理的抵抗が大きく、寧ろ集中力の低下を招く恐れがあった。
【課題を解決するための手段】
【０００５】  眼鏡とその装着者の顔の間に装着して使用される遮光フレーム本体（１）において、装着者の視野を遮るために遮光性と柔軟性のある材質で遮光フレーム本体（１）
の右側に装着時に眼鏡（９）のレンズ部分を遮らないよう空洞（８）を設けた右リム（２）を右眼窩外周を覆う大きさで設け、右リム（２）の内側上辺に装着時に眼窩眉下に密着し、視野の上側を遮るように鼻頭に密着し、遮光フレーム全体が顔に密着するように端が斜めにカットされた上遮光片（３）を設け、右リム（２）の内側下辺右端に装着時に眼窩頬骨上に密着し、視野の下側を遮るように下遮光片（４）を設け、右リム（２）の上辺右側に装着時に眼鏡のアームにひっかけ、装着時に遮光フレーム本体（１）がずれ落ちないように固定片（５）を設けると共に、装着者の視野を遮るために（イ）と同様の材質で遮光フレーム本体（１）の左側に装着時に眼鏡（９）のレンズ部分を遮らないよう空洞（８）を設けた左リム（６）を左眼窩外周を覆う大きさで設け、左リム（６）の内側上辺に装着時に眼窩眉下に密着し、視野の上側を遮るように鼻頭に密着し、遮光フレーム本体（１）が顔に密着するように端が斜めにカットされた上遮光片（３）を設け、左リム（６）の内側下辺左端に装着時に眼窩頬骨上に密着し、視野の下側を遮るように下遮光片（４）を設け、左リム（６）の上辺左側に装着時に眼鏡のアームにひっかけ、装着時に遮光フレーム本体（１）がずれ落ちないように固定片（５）を設けた集中力向上器具である。【０００６】  また、上記右リム（２）と左リム（６）が左右対称になるように、二つの間に可変式のブリッジ（７）を設けることで装着する眼鏡のフレーム外周に遮光フレーム本体（１）の上辺および下辺の形を合わせることを可能とし、あらゆる眼鏡に対応し、装着できることを特徴とする集中力向上器具である。【０００７】  他方また、遮光フレーム本体（１）においては上記構成に代えて、図４に示すように、上記構成で示した遮光フレーム本体（１）の右リム（２）と左リム（６）それぞれの鼻頭にあたる部分を無くし、左右リムの形状を眼窩外周を覆う形に保つために右リム（２）と左リム（６）それぞれの内部中心に針金のような形状を自由に変形できる芯（１２）を設け、視野を遮っても集中力向上効果の無い鼻頭部分の遮光片を無くすことにより、遮光フレーム本体（１）装着時の見た目の違和感を軽減し、さらに、右リム（２）と左リム（６）に芯（１２）を設けたことにより、遮光フレーム本体（１）を装着する眼鏡（９）のフレーム外周に形状を細かく合わせることができるようになり、遮光フレーム本体（１）装着時の見た目の違和感を更に軽減できることを特徴とする集中力向上器具である。
【発明の効果】
【０００８】  装着者の視野をあえて狭めることで余計な視覚情報を遮断し、視野を正面のみに限定することで装着者の集中力の維持、向上をさせることができる。これは目の使用を伴うあらゆる作業（公開試験、読書、教科書や参考書などを用いた勉強、パソコン画面を見ながらの作業、オンライン対戦ゲーム、テーブルゲーム等）全ての際に効果を発揮する。
【図面の簡単な説明】
【０００９】
【図１】本発明の斜視図。
【図２】本発明を眼鏡に装着した状態の斜視図。
【図３】本発明を装着した状態を上方から見た図。
【図４】本発明の他の実施例の斜視図。
【発明を実施するための形態】
【００１０】以下、本発明の実施の形態について説明する。
実施例１として
（イ）図１、２に示すように装着者の視野を遮るために遮光性と柔軟性のある材質で遮光フレーム本体（１）の右側に装着時に眼鏡（９）のレンズ部分を遮らないよう空洞（８）を設けた右リム（２）を右眼窩外周を覆う大きさで設ける。
（ロ）右リム（２）の内側上辺に装着時に眼窩眉下に密着し、視野の上側を遮るように鼻頭に密着し、遮光フレーム全体が顔に密着するように端が斜めにカットされた上遮光片（３）を設ける。
（ハ）右リム（２）の内側下辺右端に装着時に眼窩頬骨上に密着し、視野の下側を遮るように下遮光片（４）を設ける。
（ニ）右リム（２）の上辺右側に装着時に眼鏡のアームにひっかけ、装着時に遮光フレーム本体（１）がずれ落ちないように固定片（５）を設ける。
（ホ）図１に示すように装着者の視野を遮るために（イ）と同様の材質で遮光フレーム本体（１）の左側に装着時に眼鏡（９）のレンズ部分を遮らないよう空洞（８）を設けた左リム（６）を左眼窩外周を覆う大きさで設ける。
（ヘ）左リム（６）の内側上辺に装着時に眼窩眉下に密着し、視野の上側を遮るように鼻頭に密着し、遮光フレーム本体（１）が顔に密着するように端が斜めにカットされた上遮光片（３）を設ける。
（ト）左リム（６）の内側下辺左端に装着時に眼窩頬骨上に密着し、視野の下側を遮るように下遮光片（４）を設ける。
（チ）左リム（６）の上辺左側に装着時に眼鏡のアームにひっかけ、装着時に遮光フレーム本体（１）がずれ落ちないように固定片（５）を設ける。
（リ）右リム（２）と左リム（６）の中間に装着時に遮光フレーム本体（１）を眼鏡（９）のフレーム上辺に形を合わせられるように自由に形を変えられる材質でできたブリッジ（７）を２つのリムを連結するよう設ける。
【００１１】  実施例２として図４に示すように、実施例１で示した遮光フレーム本体（１）の右リム（２）と左リム（６）それぞれの鼻頭にあたる部分を無くし、リムの形状を眼窩外周を覆う形に保つために右リム（２）と左リム（６）それぞれの中心に針金のような形状を自由に変形できる芯（１２）を設ける。これは視野を遮っても集中力向上効果の無い鼻頭部分の遮光片を無くすことにより、遮光フレーム本体（１）装着時の見た目の違和感を軽減する効果を期待したものである。さらに、右リム（２）と左リム（６）に芯（１２）を設けたことにより、装着する眼鏡（９）のフレーム外周に形状を合わせることができるようになり、遮光フレーム本体（１）装着時の見た目の違和感を更に軽減できる。
本発明は以上のような構成である。
【００１２】  本発明を使用するときは、図２、図３が示すように手持ちの眼鏡に遮光フレーム本体（１）を装着し、それを装着者の眼窩部に通常の眼鏡と同じようにかけ、視野が正面のみに限定されるよう顔に密着させる。
鏡を見て装着者の顔を確認しながら眼鏡の前枠上辺に沿うようにブリッジ（７）を変形させる。
一度好きな形に変形させた後は、その眼鏡に装着し使用する限り再度の変形の必要はない。
これにより、装着時の見た目の違和感を最小限に抑え、かつ装着する眼鏡を限定することなくしかも、集中力を上げる効果が必要なときだけ装着者の好みの眼鏡、または手持ちの眼鏡を選んで、あらゆる眼鏡で本発明の効果を得ることができる。
コンタクトレンズ使用者や、眼鏡を日常的にかけない人は伊達眼鏡を用意する必要があるが、度の入っていない眼鏡は比較的安価であり、遮光フレーム本体（１）非装着時には通常の伊達眼鏡の用途通り、一つの装飾品として使用可能である。
また、遮光フレーム本体（１）を使用しない時は、ブリッジ（７）から真ん中に折りたたむことでコンパクトに持ち運ぶことができるので、本発明と同様の効果をもった専用の眼鏡を持つ場合よりもかさ張らない。
【００１３】  本発明を装着すると図３に示すように非装着時の視野（１０）に比べ、装着時の視野（１１）まで視野が狭くなる。正常な視野の範囲は一般的に両目で上下６０〜７０度、左右１８０〜２００度とされている。これが遮光フレーム本体（１）を装着することによって上下３０〜４０度、左右９０〜１００度まで搾られることで装着者の上下左右の不要な視覚情報が遮断され、集中力持続時間と正面に対する集中力が向上する。
【符号の説明】
【００１４】      １      遮光フレーム本体
２      右リム
３      上遮光片
４      下遮光片
５      固定片
６      左リム
７      ブリッジ
８      空洞
９      眼鏡
１０    非装着時の視野
１１    装着時の視野
１２    芯
１３    装着者の頭部
１４    装着者の鼻
【図１】
2018205676.tif 000003
【図２】
2018205676.tif 000004
【図３】
2018205676.tif 000005
【図４】
2018205676.tif 000006